(57)【要約】「ベストにおける安全性に対する配慮の実施方法」 と題された当該の有用性モデルは、オートバイ使用者およびジェットスキー使用者のための安全ベスト（01）、救命ジャケット、シャツにおける安全対策の実施方法から成り、安全ベストの両脇、または背側の最適な箇所に固定した安全ループ（02）を含むものである。乗客ないしは後部座席に乗る人は、運転者に直接捉まることによって気まずい思いをすることなく、また乗り物の自分の側に捉まる代わりに、それらのループ（02）に捉まることができ、これにより走行における安全性が増すこととなる。また、ベストの背側ないしは前側に装着するミニバッグ（10）およびバックパック（20）の導入とともに、本ベスト（01）は前身ごろおよび使用者の指定した部分のみによる製作が可能である。それらの部分を安全ベルト（04）と固定金具（03）を介して相互に連結することにより、肩の部分において高さの調節を行なうことができる。
2006514172.tif 000002
【特許請求の範囲】
【請求項１】
オートバイ等に乗る人が着用する、両脇に横に固定した安全ループ（02)を特徴とする安全ベストで、救命ジャケットまたはシャツ等を含めたもの。
【請求項２】
オートバイ等に乗る人が着用する、背側(07)の上部に固定した安全ループ（02)を特徴とする安全ベストで、救命ジャケットまたはシャツ等を含めたもの。
【請求項３】
オートバイ等に乗る人が着用する、背側(02)の下部、または前側(01)に固定したミニバッグ（10)を特徴とする安全ベストで、救命ジャケットまたはシャツ等を含むもの。
【請求項４】
オートバイ等に乗る人が着用する、背側(07)の上部に支持部(12)によって固定したバックパック（20)を特徴とする安全ベストで、救命ジャケットまたはシャツ等を含むもの。
【請求項５】
オートバイ等に乗る人が着用する、前側（01）を背側(07)に結びつける調節可能なベルト（07)、および固定金具を特徴とする安全ベストで、救命ジャケットまたはシャツ等を含むもの。
【発明の詳細な説明】
【技術分野】
【０００１】
本明細書は、当該有用性モデルの安全ベストにおける実施方法に関するもので、オートバイの使用者、および二輪タクシーの利用者のためのジャケットおよびシャツ、また、主にジェットスキーの使用者のための救命ジャケットを含め、オートバイおよびジェットスキーの使用者により高い安全性を提供することを目的とするものである。
【背景技術】
【０００２】
安全ベストの案は、救命ジャケット、上着、シャツおよび他の衣服の形態で適用されている。しかしながら、安全ループをべストの脇へ固定することを含めた案は、安全ベストまたは救命ジャケットには適用されていない。そのようなループはオートバイの使用者のためのシャツまたはジャケットにも装着することができるものである。
【０００３】
また、この実施方法はその使用する装置を通じて、オートバイの運転者および助手席に乗る人にとって有用な他の項目の導入につながる。それらは例えば、それ自身が装着されているところのベストを格納するために使用できるバックパック（またはバッグ）の固定、背部または前部に装着する小物を携帯するためのミニバッグ、また、それらをベストの一部であるベルトのループに装着することができること、等である。
【発明の開示】
【発明が解決しようとする課題】
【０００４】
二輪タクシーのサービスの利用者の場合には、次のような不便がある。乗客は何かに捉まる必要があり、通常、オートバイ自体または運転者が捉まる対象となる。それは、乗客との位置関係において運転者に気まずい思いすら起こさせることとなる。さらに、乗客の捉まるという動作が十分には行なわれないという点で、安全性を低減せしめ、運転者のみでなく乗客のバランスの崩れによっても転倒が起こる危険を高めることとなる。こうした事態はジェットスキーの後部座席においても顕著に見られる。運転者および後部座席に乗る人は救命ジャケットの着用を義務づけられており、後部座席に乗る人は救命ジャケットを通して運転者に捉まらなければならないが、水との接触のために塗れているため、しっかり捉まることができない。
【課題を解決するための手段】
【０００５】
そのような状況および困難に直面し、それらを解決することを目的として、保護ベストおよび救命ジャケットにおける新しい安全装置の実施方法が開発された。さらに、本発明の提示するそれらの装置は、シャツ等の上衣にも導入できるもので、それはベストの両脇および背側の最適な箇所へのループの固定、小物の携帯のためのミニバッグの装着、ベストの背側または前側へのバックパックの装着から成っている。それは、二輪タクシー・サービス、またジェットスキーの運転者ならびに利用者に、安全ベストの使用方法を変更することなくより高い安全性と快適さを提供し、人命を救うものである。
【発明を実施するための最良の形態】
【０００６】
上の図に示した方法に従って、我々のベスト（01）は次の項目を備えて製作することができる。
【０００７】
すなわち、強化帯（05）、固定金具（03）のボルトによって固定され調整される安全ベルト（04）、安全ループ（02）、小物の携帯のためのポケット（06）、ベストの背側の比較的重要でない箇所に縫いつけて固定するか、またはベルクロによって固定することができるミニバッグ（10）、ベスト（01）の前側の比較的重要でない箇所に縫いつけて固定するか、またはベルクロによって取り外し可能に装着することができる二つのポケット（15）、小物を携帯する目的に加え、それ自身が固定されているところのベスト（01）を格納するためのバックパック（20）である。このバックパックは、ベストに固定された、または取り外し可能な支持部（12）に装着することができる。さらにこのバックパックは、ベストに固定されたもう一つのベルクロの層からわかるように、ベルクロを介さずにベストに固定することもできる。
【０００８】
このベストはまた、前身ごろ（01）および使用者の指定した部分（07）のみによって製作することもできる。また、前身ごろ（01）と使用者の指定した部分（07）が一体でない場合には、固定金具（03）および安全ベルト（04）によって何らかの形でこれらを連結し、肩の部分に高さの調節部を設けることができる。
【０００９】
このべスト（01）においては、背側（07）の最適な箇所に安全ループ（02）を固定することもできる（図６に示す）。それにより乗客は、片手のみによって運転手に捉まることができる。図からわかるように、これは片手で運転手の脇に捉まるというのではなく、主にこの実施方法においては、それはベスト（01）の背側（07）の最適な箇所の中央部に取り付けられた安全ループに捉まるということである。
【図面の簡単な説明】
【００１０】
添付の図は、紹介した実施方法、当該の再証明の対象を明確に示すものである。
【００１１】
【図１】安全ベストを前側から見たものである。
【図２】同じ安全ベストを背側から見たものである。
【図３】安全ベストを側面と背後からの透視図で表わしたものである。
【図４】安全ベストの背側の比較的重要でない箇所にミニバッグを固定した実施例である。ミニバッグは前側に固定することもできる。
【図５】安全ベストの背側の最適な箇所にバックパックを固定した実施例である。
【図６】安全ベストに安全ループを固定したもので、側面固定、およびベストの背側最適箇所における固定を示す。
【図７】安全ベストの前側の比較的重要でない箇所に二つのポケットをつけた実施例で、ポケットは取り外し可能とすることも、固定することもできる。
【図１】
2006514172.tif 000003
【図２】
2006514172.tif 000004
【図３】
2006514172.tif 000005
【図４】
2006514172.tif 000006
【図５】
2006514172.tif 000007
【図６】
2006514172.tif 000008
【図７】
2006514172.tif 000009
【国際調査報告】
2006514172.tif 000010